(57)【要約】【課題】接着剤を硬化させる加熱硬化工程および漏出接着剤の除去工程を不要にし、組立時間を大幅に短縮し、フェルールの端面研磨時間を短縮して、製造コストを下げる。【解決手段】フェルール部（１ａ）とフランジ部（１ｂ）とを合成樹脂で一体成形し、非加熱状態では貫通孔（２ａ），挿入孔（２ｂ）が光ファイバ素線部（５ａ），被覆先端部（５ｂ）とそれぞれ密着する孔径に形成されたフェルール（１）を保持して加熱することで、貫通孔（２ａ），挿入孔（２ｂ）を光ファイバ素線部（５ａ），被覆先端部（５ｂ）がそれぞれ挿入可能な孔径まで膨張させる加熱保持手段（２０）と、光ファイバを保持してフェルールのフランジ部（１ｂ）側から加熱保持手段（２０）に向けて移動することで、膨張された状態にあるフェルールの貫通孔（２ａ），挿入孔（２ｂ）に光ファイバ素線部（５ａ），被覆先端部（５ｂ）をそれぞれ挿入させる可動保持手段（３０）とを備える。【選択図】図５
2005099347.tif 000002
【特許請求の範囲】
【請求項１】
フェルールに光ファイバを挿入して固定する方法であって、
光ファイバの被覆を除去した素線部を挿入する貫通孔を有するフェルール部と、この素線部に連なる光ファイバの被覆先端部を挿入する挿入孔を有するフランジ部とを合成樹脂で一体成形してなり、加熱されると前記貫通孔および前記挿入孔が光ファイバの前記素線部および前記被覆先端部をそれぞれ挿入可能な孔径まで膨張し、加熱を除去されると前記貫通孔および前記挿入孔が光ファイバの前記素線部および前記被覆先端部とそれぞれ密着する孔径まで収縮する一体型フェルールを採用し、
前記一体型フェルールを加熱することで前記貫通孔および前記挿入孔が膨張した状態で、前記フランジ部側から光ファイバの前記素線部および前記被覆先端部をそれぞれ挿入し、
前記一体型フェルールの加熱を除去して前記貫通孔および前記挿入孔と光ファイバの前記素線部および前記被覆先端部とをそれぞれ密着固定する、
ことを特徴とするフェルールの光ファイバ挿入固定方法。
【請求項２】
フェルールに光ファイバを挿入して固定する装置であって、
光ファイバの被覆を除去した素線部を挿入する貫通孔を有するフェルール部と、この素線部に連なる光ファイバの被覆先端部を挿入する挿入孔を有するフランジ部とを合成樹脂で一体成形し、かつ、非加熱状態では前記貫通孔および前記挿入孔が光ファイバの前記素線部および前記被覆先端部とそれぞれ密着する孔径に形成された一体型フェルールを保持して加熱可能で、加熱することで前記貫通孔および前記挿入孔を光ファイバの前記素線部および前記被覆先端部がそれぞれ挿入可能な孔径まで膨張させる加熱保持手段と、
光ファイバを保持して、前記加熱保持手段に保持された一体型フェルールの前記フランジ部側から当該加熱保持手段に向けて移動可能で、移動することで当該加熱保持手段により膨張された状態にある一体型フェルールの前記貫通孔および前記挿入孔に光ファイバの前記素線部および前記被覆先端部をそれぞれ挿入させる可動保持手段と、
を備えていることを特徴とするフェルールの光ファイバ挿入固定装置。
【請求項３】
前記可動保持手段に保持された光ファイバの前記素線部を、前記加熱保持手段に保持された一体型フェルールの前記貫通孔に対応する位置に位置決めするガイド手段を備え、
前記ガイド手段は、前記可動保持手段の移動に応じて当該可動保持手段と係合して、光ファイバの前記素線部が一体型フェルールの前記貫通孔に挿入され始めた以降前記位置決め位置から退避可能に構成されていることを特徴とする請求項２記載のフェルールの光ファイバ挿入固定装置。
【発明の詳細な説明】
【技術分野】
【０００１】
この発明は、フェルールに光ファイバを挿入して固定するフェルールの光ファイバ挿入固定方法と、フェルールの光ファイバ挿入固定装置に関するものである。
【背景技術】
【０００２】
一般に、フェルールに光ファイバを挿入して固定する際は、フェルール内部に接着剤を装填し、光ファイバを挿入したのちフェルールを一定の温度に加熱し、接着剤を硬化させて固定する方法が用いられている。
【０００３】
例えば、図８（ａ）（ｂ）に示すように、ジルコニアフェルール１０１ａを金属フランジ１０１ｂに一体に嵌合したフェルール組立体１０１に光ファイバ１０５を挿入して固定する方法について具体的に説明すると、金属フランジ１０１ｂ側から挿入孔１０２ｂに接着剤１０３を装填したフェルール組立体１０１に、先端の被覆を除去して素線を露出させた光ファイバ１０５を挿入する。
【０００４】
このとき、光ファイバの素線部（裸ファイバ）１０５ａは、金属フランジ１０１ｂの挿入孔１０２ｂからジルコニアフェルール１０１ａの貫通孔１０２ａに挿入されて、貫通孔１０２ａの先端から突き出た部分を除いて貫通孔１０２ａ内に接着剤１０３とともに配置される。
【０００５】
一方、この素線部１０５ａに連なる光ファイバの被覆先端部１０５ｂは、金属フランジ１０１ｂの挿入孔１０２ｂに挿入されて挿入孔１０２ｂ内に接着剤１０３とともに配置される。
【０００６】
この状態でフェルール組立体１０１を一定の温度に加熱すると、貫通孔１０２ａ内の接着剤１０３が硬化して光ファイバの素線部１０５ａはジルコニアフェルール１０１ａと一体に固定され、また、挿入孔１０２ｂの接着剤１０３が硬化して光ファイバの被覆先端部１０５ｂは金属フランジ１０１ｂと一体に固定される。
【発明の開示】
【発明が解決しようとする課題】
【０００７】
しかしながら、このような従来の方法は、フェルールに光ファイバを挿入して固定するのに接着剤を用いることから、接着剤の装填工程のほかに接着剤を硬化させるための加熱硬化工程が必要であり、この加熱硬化工程には時間がかかるため、その間組立工程がストップして次工程を行うことができないという問題がある。
【０００８】
また、フェルールの先端から接着剤が漏れ出すことが避けられないから、加熱硬化工程ののちフェルールの端面研磨工程に先だって、フェルール先端から漏れ出した接着剤を取り除かなければならず、漏出接着剤の除去工程が必要になるという問題がある。
【０００９】
このような、時間のかかる加熱硬化工程や漏出接着剤の除去工程などが必要不可欠であることが、従来の製造コストを上昇させる要因になっていた。
【００１０】
この発明の課題は、上記従来のもののもつ問題点を排除して、接着剤を硬化させるための加熱硬化工程を不要にすることに加えて、フェルールの端面研磨工程に先だつ漏出接着剤の除去工程を不要にすることで、組立時間を大幅に短縮するとともにフェルールの端面研磨時間を短縮して、製造コストを下げることのできるフェルールの光ファイバ挿入固定方法と、フェルールの光ファイバ挿入固定装置を提供することにある。
【課題を解決するための手段】
【００１１】
この発明は上記課題を解決するものであり、請求項１に係る発明は、フェルールに光ファイバを挿入して固定する方法であって、光ファイバの被覆を除去した素線部を挿入する貫通孔を有するフェルール部と、この素線部に連なる光ファイバの被覆先端部を挿入する挿入孔を有するフランジ部とを合成樹脂で一体成形してなり、加熱されると前記貫通孔および前記挿入孔が光ファイバの前記素線部および前記被覆先端部をそれぞれ挿入可能な孔径まで膨張し、加熱を除去されると前記貫通孔および前記挿入孔が光ファイバの前記素線部および前記被覆先端部とそれぞれ密着する孔径まで収縮する一体型フェルールを採用し、前記一体型フェルールを加熱することで前記貫通孔および前記挿入孔が膨張した状態で、前記フランジ部側から光ファイバの前記素線部および前記被覆先端部をそれぞれ挿入し、前記一体型フェルールの加熱を除去して前記貫通孔および前記挿入孔と光ファイバの前記素線部および前記被覆先端部とをそれぞれ密着固定するフェルールの光ファイバ挿入固定方法である。
【００１２】
請求項２に係る発明は、フェルールに光ファイバを挿入して固定する装置であって、光ファイバの被覆を除去した素線部を挿入する貫通孔を有するフェルール部と、この素線部に連なる光ファイバの被覆先端部を挿入する挿入孔を有するフランジ部とを合成樹脂で一体成形し、かつ、非加熱状態では前記貫通孔および前記挿入孔が光ファイバの前記素線部および前記被覆先端部とそれぞれ密着する孔径に形成された一体型フェルールを保持して加熱可能で、加熱することで前記貫通孔および前記挿入孔を光ファイバの前記素線部および前記被覆先端部がそれぞれ挿入可能な孔径まで膨張させる加熱保持手段と、光ファイバを保持して、前記加熱保持手段に保持された一体型フェルールの前記フランジ部側から当該加熱保持手段に向けて移動可能で、移動することで当該加熱保持手段により膨張された状態にある一体型フェルールの前記貫通孔および前記挿入孔に光ファイバの前記素線部および前記被覆先端部をそれぞれ挿入させる可動保持手段とを備えているフェルールの光ファイバ挿入固定装置である。
【００１３】
請求項３に係る発明は、請求項２記載の発明において、前記可動保持手段に保持された光ファイバの前記素線部を、前記加熱保持手段に保持された一体型フェルールの前記貫通孔に対応する位置に位置決めするガイド手段を備え、前記ガイド手段は、前記可動保持手段の移動に応じて当該可動保持手段と係合して、光ファイバの前記素線部が一体型フェルールの前記貫通孔に挿入され始めた以降前記位置決め位置から退避可能に構成されているフェルールの光ファイバ挿入固定装置である。
【発明の効果】
【００１４】
この発明は以上のように、光ファイバの被覆を除去した素線部を挿入する貫通孔を有するフェルール部と、この素線部に連なる光ファイバの被覆先端部を挿入する挿入孔を有するフランジ部とを合成樹脂で一体成形してなり、加熱されると貫通孔および挿入孔が光ファイバの素線部および被覆先端部をそれぞれ挿入可能な孔径まで膨張し、加熱を除去されると貫通孔および挿入孔が光ファイバの素線部および被覆先端部とそれぞれ密着する孔径まで収縮する一体型フェルールを採用し、この一体型フェルールを加熱することで貫通孔および挿入孔が膨張した状態で、フランジ部側から光ファイバの素線部および被覆先端部をそれぞれ挿入し、一体型フェルールの加熱を除去して貫通孔および挿入孔と光ファイバの素線部および被覆先端部とをそれぞれ密着固定するように構成したので、接着剤を硬化させるための加熱硬化工程を不要にすることに加えて、フェルールの端面研磨工程に先だつ漏出接着剤の除去工程を不要にすることができ、それにより、組立時間を大幅に短縮するとともにフェルールの端面研磨時間を短縮することができて、製造コストを下げることができる効果がある。
【発明を実施するための最良の形態】
【００１５】
この発明の実施の形態を、図面を参照して説明する。  
図１は、この発明によるフェルールの光ファイバ挿入固定装置の一実施の形態を示す斜視図であり、このフェルールの光ファイバ挿入固定装置１０は、合成樹脂製のフェルールに光ファイバを挿入して固定するものである。
【００１６】
すなわち、このフェルールの光ファイバ挿入固定装置１０が取り扱うフェルール１は、図７（ａ）（ｂ）に示すように、従来のジルコニアフェルール１０１ａに相当するフェルール部１ａと、従来の金属フランジ１０１ｂに相当するフランジ部１ｂとを、例えば液晶ポリマー系などの合成樹脂で一体成形したものである。
【００１７】
フェルール部１ａには、光ファイバ５の被覆を除去した素線部（裸ファイバ）５ａを挿入する貫通孔２ａが形成され、また、フランジ部１ｂには、素線部５ａに連なる光ファイバ５の被覆先端部５ｂを挿入する挿入孔２ｂが形成されている。
【００１８】
そして、フェルール１が加熱されると、貫通孔２ａおよび挿入孔２ｂが光ファイバ５の素線部５ａおよび被覆先端部５ｂをそれぞれ挿入可能な孔径まで膨張し、また、加熱を除去されると、貫通孔２ａおよび挿入孔２ｂが光ファイバ５の素線部５ａおよび被覆先端部５ｂとそれぞれ密着する孔径まで収縮するように、フェルール１の材質の熱膨張係数や各部の寸法などが設定されている。
【００１９】
図１〜図６に示すように、このフェルールの光ファイバ挿入固定装置１０は、フェルール１を保持して加熱可能で、加熱することで貫通孔２ａおよび挿入孔２ｂを光ファイバ５の素線部５ａおよび被覆先端部５ｂがそれぞれ挿入可能な孔径まで膨張させる加熱保持手段２０を備えている。
【００２０】
また、光ファイバ５を保持して、加熱保持手段２０に保持されたフェルール１のフランジ部１ｂ側から加熱保持手段２０に向けて移動可能で、移動することで加熱保持手段２０により膨張された状態にあるフェルール１の貫通孔２ａおよび挿入孔２ｂに光ファイバ５の素線部５ａおよび被覆先端部５ｂをそれぞれ挿入させる可動保持手段３０を備えている。
【００２１】
さらに、可動保持手段３０に保持された光ファイバ５の素線部５ａを、加熱保持手段２０に保持されたフェルール１の貫通孔２ａに対応する位置に位置決めするガイド手段５０を備えている。
【００２２】
加熱保持手段２０は、フェルールの光ファイバ挿入固定装置１０の機台１１に設置されて図示しない電気ヒータを内蔵する加熱部材２１と、加熱部材２１に装着されて所定位置にフェルール１を保持する保持部材２２とで構成される。加熱部材２１は、図示しない電気ヒータが電源オンされると、このヒータの発熱によって保持部材２２に保持されたフェルール１を加熱するものである。
【００２３】
また、保持部材２２は、フェルール１を収容して保持するための収容部２３を備え、収容部２３は、図３に示すようなフェルール１をフェルール部１ａ側から挿入してフランジ部１ｂが突き当たると、その位置にフェルール１を位置決めして保持するものである。
【００２４】
そして、取り扱うフェルール１のサイズや種類に応じて異なる収容部２３を備えた数種類の保持部材２２を用意しておき、任意の収容部２３を備えた保持部材２２をネジ２４で加熱部材２１に装着して使用することができるようになっている。
【００２５】
可動保持手段３０は、機台１１上に加熱保持手段２０を挟んで平行に延びた案内ロッド１２ａ，１２ｂに沿って移動可能な可動部材３１と、光ファイバ５を保持して可動部材３１に装着される保持部材４０とで構成される。
【００２６】
保持部材４０は、先端の被覆を除去して素線を露出させた光ファイバを保持できるものであればどのようなものでも使用できるが、例えば、図４に示すように、光ファイバの被覆を除去する被覆除去刃を備えた図示しない適宜の光ファイバストリッパに専用治具として用いられるファイバホルダをそのまま使用することが可能である。
【００２７】
このファイバホルダすなわち保持部材４０は、本体４１の長手方向両端および中央の合計３箇所に光ファイバ５を差し込んで位置決めするための直線状の溝４２を備え、隣り合う溝間に２枚の蓋４３が片開き式に取り付けられ、各蓋４３は本体４１に埋め込まれた磁石４４によって閉じたとき固定され、これにより、ファイバホルダ４０は、光ファイバ５を本体４１と各蓋４３との間に挟み込んで固定するようになっている。
【００２８】
可動部材３１は、このような保持部材（ファイバホルダ）４０に一端から素線部５ａおよび被覆先端部５ｂを露出させた状態で光ファイバ５を保持したものを、そのまま装着できるものであり、保持部材（ファイバホルダ）４０を収容するための収容部３２を備えている。
【００２９】
収容部３２には左右の側面から突出可能なネジ３３が設けられ、保持部材（ファイバホルダ）４０を収容してネジ３３で両側面を位置決め固定し、蓋３４を閉めてネジ３５を止めることで、保持部材（ファイバホルダ）４０は可動部材３１に位置決め装着されるものである。
【００３０】
また、可動部材３１は、可動保持手段３０を案内ロッド１２ａ，１２ｂに沿って移動させる際に使用するハンドル３６を備えている。
【００３１】
ガイド手段５０は、機台１１に形成した開口部１３に、ばね５１により上向きに付勢して設置されたものであり、下部に設けたストッパ５２が機台１１の下面に当接することで上限位置が規制され、上限位置にあるとき、上面に備えたガイド溝５３に載せた光ファイバ５の素線部５ａを、加熱保持手段２０に保持されたフェルール１の貫通孔２ａに対応する位置に位置決めして配置するものである。
【００３２】
また、ガイド手段５０は、ガイド溝５３の底部に連なるガイド孔５４を備え、ガイド孔５４の下端部からは図示しない吸引ポンプを用いて減圧吸引することで、光ファイバ５の素線部５ａがガイド溝５３から外れることを防止できるようになっている。
【００３３】
また、ガイド手段５０は、可動保持手段３０の下向き傾斜面３７と係合する上向き傾斜面５５を備え、可動保持手段３０が加熱保持手段２０に向けて移動されるとき上向き傾斜面５５が下向き傾斜面３７から下向き押圧力を受けることで、ばね５１の付勢力に抗して下向きに退避移動するように構成されている。
【００３４】
これにより、ガイド手段５０のガイド溝５３は、可動保持手段３０が加熱保持手段２０に向けて移動されるとき、光ファイバ５の素線部５ａの先端がフェルール１の少なくとも挿入孔２ｂ、好ましくは貫通孔２ａに挿入されるまでの間素線部５ａを支えてガイドする一方、その後光ファイバ５の素線部５ａと被覆先端部５ｂとの段差が通過するときは下向きに退避することで、その段差がガイド溝５３に当たって素線部５ａが折損することを防止できるようになっている。
【００３５】
次に、このフェルールの光ファイバ挿入固定装置１０の作用について説明する。  
フェルール１として、例えば先端の直径が１．２５ｍｍの単芯液晶ポリマー系フェルールを用い、また、光ファイバ５として、例えば先端の被覆を光ファイバストリッパすなわち保持部材（ファイバホルダ）３２で除去した直径０．９ｍｍの光ファイバを用いる。
【００３６】
まず、加熱保持手段２０の加熱部材２１に、フェルール１のサイズと種類に適合する収容部２３を備えた保持部材２２をネジ２４で装着し、その収容部２３にフェルール１を位置決めしてセットする。
【００３７】
一方、可動保持手段３０の保持部材（ファイバホルダ）４０に、先端から素線部５ａおよび被覆先端部５ｂを露出させた状態で光ファイバ５を保持し、この保持部材（ファイバホルダ）４０を可動部材３１の収容部３２に収容し、ネジ３３で両側面を位置決め固定し、蓋３４を閉めネジ３５を止めて位置決め装着する。
【００３８】
このとき、可動保持手段３０から移動方向前方に突き出ている光ファイバ５の素線部５ａおよび被覆先端部５ｂのうち素線部５ａを、上限位置にあるガイド手段５０のガイド溝５３に載せて、加熱保持手段２０に保持されたフェルール１の貫通孔２ａに対応する位置に位置決めする。
【００３９】
また、ガイド孔５４の下端部から吸引ポンプを用いて減圧吸引することで、光ファイバ５の素線部５ａがガイド溝５３から外れることを防止する。
【００４０】
つぎに、加熱保持手段２０の加熱部材２１の電気ヒータを電源オンすると、このヒータの発熱によって保持部材２２に保持されたフェルール１を加熱するため、フェルール１が所定の温度に達したとき、フェルール１の貫通孔２ａおよび挿入孔２ｂが光ファイバ５の素線部５ａおよび被覆先端部５ｂをそれぞれ挿入可能な孔径まで膨張する。
【００４１】
この状態で、ハンドル３６を持って可動保持手段３０を案内ロッド１２ａ，１２ｂに沿って加熱保持手段２０に向けて移動させることで、加熱保持手段２０に保持されたフェルール１のフランジ部１ｂ側から貫通孔２ａおよび挿入孔２ｂに、光ファイバ５の素線部５ａおよび被覆先端部５ｂをそれぞれ挿入する。
【００４２】
この移動中に、光ファイバ５の素線部５ａと被覆先端部５ｂとの段差がガイド溝５３を通過するときは、ガイド手段５０が下向きに退避することで、その段差がガイド溝５３に当たって素線部５ａが折損することは未然に防止される。
【００４３】
この挿入工程が終了したら、加熱保持手段２０の加熱部材２１の電気ヒータを電源オフする。すると、加熱部材２１の温度が下がって保持部材２２に保持されたフェルール１の温度も低下し、この温度低下にともなってフェルール１の貫通孔２ａおよび挿入孔２ｂが光ファイバ５の素線部５ａおよび被覆先端部５ｂとそれぞれ密着する孔径まで収縮する。
【００４４】
これにより、フェルール１の貫通孔２ａおよび挿入孔２ｂと光ファイバ５の素線部５ａおよび被覆先端部５ｂとがそれぞれ密着固定されることとなる。
【００４５】
そして、光ファイバ５の素線部５ａのフェルール１先端から突き出た部分は、適宜の光ファイバカッタで切断する。
【００４６】
つぎに、可動保持手段３０の蓋３４を開け、保持部材（ファイバホルダ）４０から光ファイバ５を取り出す際に手前に引くようにすることで、光ファイバ５の先端に密着固定されたフェルール１が、加熱保持手段２０の収容部２３から抜き取られる。
【００４７】
その後、光ファイバ切断面のバリを除去する目的で、研磨装置により仕上げ研磨することができる。
【００４８】
以上のように、このフェルールの光ファイバ挿入固定装置１０によれば、一旦加熱することで光ファイバ５の素線部５ａおよび被覆先端部５ｂを挿入可能な孔径まで膨張したフェルール１の貫通孔２ａおよび挿入孔２ｂが、加熱を除去することで孔径が収縮して光ファイバ５の素線部５ａおよび被覆先端部５ｂとそれぞれ密着固定するため、従来のように接着剤の加熱硬化時間を考慮することが全く不要で、その時間を意識することなく次工程に進むことができる。
【００４９】
また、従来のようにフェルールの先端から接着剤が漏れ出すことが全くないから、フェルールの端面研磨工程に先だってフェルール先端から漏れ出した接着剤を取り除く必要が全くなく、場合によってはフェルールの端面研磨工程自体を不要にすることができる。
【００５０】
なお、上記の実施の形態では、フェルール１として先端の直径が１．２５ｍｍの単芯液晶ポリマー系フェルールを用いたが、これに限定するものでなく、加熱保持手段２０の保持部材２２を交換することによって、例えば直径２．５ｍｍの単芯フェルールを始め、各種のフェルールを使用することができる。
【００５１】
また、上記の実施の形態では、光ファイバ５として直径０．９ｍｍの光ファイバを用いたが、これに限定するものでなく、可動保持手段３０の保持部材（ファイバホルダ）４０を交換することによって、例えば直径０．４ｍｍの光ファイバや、直径０．２５ｍｍの光ファイバを始め、各種の光ファイバを使用することができる。
【００５２】
さらに、加熱保持手段２０の保持部材２２と可動保持手段３０の保持部材（ファイバホルダ）４０とを同時に交換することによって、多芯フェルールにも使用することが可能である。
【図面の簡単な説明】
【００５３】
【図１】この発明によるフェルールの光ファイバ挿入固定装置の一実施の形態を示す斜視図である。
【図２】図１の装置の可動部材の蓋を開けた状態を示す斜視図である。
【図３】図１の装置の加熱保持手段の収容部に収容されるフェルールの斜視図である。
【図４】図１の装置の可動保持手段の収容部に収容されるファイバホルダの斜視図である。
【図５】図３のフェルールおよび図４のファイバホルダを収容した図１の装置の縦断面図である。
【図６】図１の装置の可動保持手段の移動にともなうガイド手段の退避移動を示す説明図である。
【図７】この発明が用いるフェルールに光ファイバを挿入して固定する様子を示す説明図である。
【図８】従来のフェルールに光ファイバを挿入して固定する様子を示す説明図である。
【符号の説明】
【００５４】
１  フェルール
１ａ  フェルール部
１ｂ  フランジ部
２ａ  貫通孔
２ｂ  挿入孔
５  光ファイバ
５ａ  素線部（裸ファイバ）
５ｂ  被覆先端部
１０  フェルールの光ファイバ挿入固定装置
１１  機台
１２ａ，１２ｂ  案内ロッド
１３  開口部
２０  加熱保持手段
２１  加熱部材
２２  保持部材
２３  収容部
２４  ネジ
３０  可動保持手段
３１  可動部材
３２  収容部
３３，３５  ネジ
３４  蓋
３６  ハンドル
３７  下向き傾斜面
４０  保持部材（ファイバホルダ）
４１  本体
４２  溝
４３  蓋
４４  磁石
５０  ガイド手段
５１  ばね
５２  ストッパ
５３  ガイド溝
５４  ガイド孔
５５  上向き傾斜面
【図１】
2005099347.tif 000003
【図２】
2005099347.tif 000004
【図３】
2005099347.tif 000005
【図４】
2005099347.tif 000006
【図５】
2005099347.tif 000007
【図６】
2005099347.tif 000008
【図７】
2005099347.tif 000009
【図８】
2005099347.tif 000010